(57)【要約】【課題】  安全性を備えたドアガードを提供する。【解決手段】  ドアガードは、扉２０又は扉枠１０のいずれか一方に回動可能に連結されたアーム６０と、扉枠１０又は扉２０のいずれか他方に取り付けられたアーム係止具３０とを備えている。アーム６０は略Ｕ字状に形成され、中央に案内溝８０と折曲側に先端部６０ｓを有し、アーム係止具３０は頭部４０ａと軸部４０ｂを持った係止突起４０を備えている。アーム６０をアーム係止具３０側に所定角度回動した状態で開扉した場合、アーム６０は頭部４０ａに係止されつつ相対移動する。アーム係止具３０の係止突起４０に軸部４０ａのアーム係止具３０側から頭部４０ａの先端にかけて傾斜面４０ｃを設けている。【選択図】図５
2011208437.tif 000002
【特許請求の範囲】
【請求項１】
扉又は扉枠のいずれか一方に回動可能に連結されたアームと、扉枠又は扉のいずれか他方に取り付けられたアーム係止具とを備え、該アームは略Ｕ字状に形成され、中央に案内溝と折曲側に先端部を有し、該アーム係止具は頭部と軸部を持った係止突起を備え、該アームを該アーム係止具側に所定角度回動した状態で開扉した場合、該アームは該頭部に係止されつつ相対移動するドアガードにおいて、該アーム係止具の該係止突起に該軸部の該アーム係止具側から該頭部の先端にかけて傾斜面を設けることを特徴とするドアガード。
【請求項２】
該傾斜面はドアガードがガード位置にある状態において該アームの該先端部側に向くとともに、該傾斜面の該頭部側は該傾斜面の該アーム係止具側より該アームの基端側に傾いていることを特徴とする請求項１記載のドアガード。
【請求項３】
該アームの該案内溝側に向いた傾斜面を該アームの該先端部に設けることを特徴とする請求項１又は請求項２記載のドアガード。
【請求項４】
扉又は扉枠のいずれか一方に回動可能に連結されたアームと、扉枠又は扉のいずれか他方に取り付けられたアーム係止具とを備え、該アームは略Ｕ字状に形成され、中央に案内溝と折曲側に先端部を有し、該アーム係止具は頭部と軸部を持った係止突起を備え、該アームを該アーム係止具側に所定角度回動した状態で開扉した場合、該アームは該頭部に係止されつつ相対移動するドアガードにおいて、該アーム係止具の該係止突起に該軸部の該アーム係止具側から該頭部の先端にかけて平面を設けるとともに、該アームの該案内溝側に向いた傾斜面を該アームの該先端部に設けることを特徴とするドアガード。
【発明の詳細な説明】
【技術分野】
【０００１】
本発明は、開扉を所定角度に制限して無用の人の不法侵入を阻止することができるドアガードに関するものである。
【背景技術】
【０００２】
図１１は特許文献１に示されている、外開き扉に適用された従来のドアガードの斜視図であり、ドアガードを利用することにより、扉２の開角度が小さく制限され、安全に来訪者の確認や物品の受渡し等を行うことができる。この種のドアガードは、略水平方向に回動するようにその基端部がベース５を介して扉２の内面に取り付けられるアーム６と、アーム６を係止すべく扉枠１に取り付けられるアーム係止具３とを備え、アーム係止具３は頭部４ａが膨出した係止突起４を有している。
【０００３】
図１２および図１３は、図１１におけるアーム６と係止突起４の係合部分の拡大図であり、アーム６の先端部６ｓは断面で表され、図１２はアーム６の断面が略楕円状のものであり、図１３はアーム６の断面がＬ字状のものである。係止突起４は軸部４ｂと頭部４ａからなり、軸部４ｂは案内溝８内を移動できるよう比較的細く、頭部４ａはアーム６を係止できるよう案内溝８の溝幅より大きく作られている。
【先行技術文献】
【特許文献】
【０００４】
【特許文献１】特開２００６−２４１９４８号公報
【発明の概要】
【発明が解決しようとする課題】
【０００５】
しかし、従来のドアガードにおいては、ドアガードの操作者がアーム６の外側を持って操作せず案内溝８に指を入れた状態で上記の操作を行っている場合に、たまたま来訪者が扉２を開けると指を詰めるという可能性があった。本発明は、上記の問題を解決する安全性を備えたドアガードを提供することである。
【課題を解決するための手段】
【０００６】
上記の目的を達成するために、扉又は扉枠のいずれか一方に回動可能に連結されたアームと、扉枠又は扉のいずれか他方に取り付けられたアーム係止具とを備え、アームは略Ｕ字状に形成され、中央に案内溝と折曲側に先端部を有し、アーム係止具は頭部と軸部を持った係止突起を備え、アームをアーム係止具側に所定角度回動した状態で開扉した場合、アームは頭部に係止されつつ相対移動するドアガードにおいて、第一の実施形態では、ドアガードがガード位置にある状態において、アームの先端部側に向いた傾斜面をアーム係止具の係止突起に設けた構成とした。第二の実施形態では、ドアガードがガード位置にある状態において、アームの先端部側に向いた平面をアーム係止具の係止突起に設けるとともに、アームの案内溝側に向いた傾斜面をアームの先端部に設けた構成とした。第三の実施形態では、ドアガードがガード位置にある状態において、アームの先端部側に向いた傾斜面をアーム係止具の係止突起に設けるとともに、アームの案内溝側に向いた傾斜面をアームの先端部に設けた構成とした。
【発明の効果】
【０００７】
本発明によれば、上記の構成としたので、安全性を備えたドアガードを提供することが可能となる。
【図面の簡単な説明】
【０００８】
【図１】第一の実施形態に係るドアガードの上面図であり、ドアガードが通常位置にある状態を示す。
【図２】第一の実施形態に係るドアガードの上面図であり、ドアガードがガード位置にある状態を示す。
【図３】図１におけるＹ矢視図である。
【図４】第一の実施形態に係るドアガードの上面図であり、ドアガードがガード位置とされ、開扉された状態を示す。
【図５】図４の部分断面拡大図である。
【図６】図４の部分断面拡大図であり、アームの断面がＬ字状である場合を示す。
【図７】第二の実施形態に係るドアガードの部分断面拡大図である。
【図８】第二の実施形態に係るドアガードの部分断面拡大図であり、アームの断面がＬ字状である場合を示す。
【図９】第三の実施形態に係るドアガードの部分断面拡大図である。
【図１０】第三の実施形態に係るドアガードの断面拡大図であり、アームの断面がＬ字状である場合を示す。
【図１１】従来のドアガードの斜視図である。
【図１２】図１１の部分断面拡大図である。
【図１３】図１１の部分断面拡大図である。
【発明を実施するための形態】
【０００９】
以下、本発明を実施するための好適な実施形態について、図面に基づいて説明する。
【００１０】
（第一の実施形態）
図１乃至図６は第一の実施形態に係るドアガードである。図１はドアガードがガード位置にセットされていない通常位置にある状態を表し、扉２０の上下方向矢視図である。図２はドアガードがガード位置にセットされている状態を表し、図３は図１におけるＹ矢視図である。図４はドアガードがガード位置とされ、開扉された状態を表した図である。
【００１１】
アーム６０は全体として略Ｕ字状に形成されることによりその上下方向略中央には長手方向に沿って案内溝８０が延設され、その折曲側が先端側（先端部６０ｓ）になり開口側が基端側となるように扉２０の内面２０ａにベース５０を介して軸支される。また、扉枠１０にネジ等で固定されたアーム係止具３０は頭部４０ａが膨出した係止突起４０を有しており、頭部４０ａが挿入できるように、アーム６０の上下両腕部６０ａ，６０ｂはその基端部において部分的に上下に更に離間して、アーム６０の基端部に案内溝８０と連通し案内溝８０よりも幅広の導入口７０が形成されている。
【００１２】
そして、扉２０の内面２０ａに沿った通常位置からアーム６０を扉枠１０側に向けて所定角度起立させてガード位置とすると、扉枠１０から扉２０側に向けて、すなわち、扉２０が設置される扉枠１０の開口部内方に向けて略水平に突出した状態にあるアーム係止具３０の係止突起４０がアーム６０の導入口７０に挿入される。即ち、アーム６０の上下両腕部６０ａ，６０ｂ間に係止突起４０が位置して、アーム６０と係止突起４０とは上下に重合した状態となる。
【００１３】
かかるガード位置にアーム６０をセットした後に開扉すると、係止突起４０は導入口７０から案内溝８０へと進入して案内溝８０内をアーム６０先端側へと相対移動する。係止突起４０が案内溝８０内に進入すると、その頭部４０ａがアーム６０の上下両腕部６０ａ，６０ｂを係止してその通常位置への復帰を阻止する。そして、扉２０が所定角度まで開くと、係止突起４０の軸部４０ｂがアーム６０の上下両腕部６０ａ，６０ｂを連結する先端部６０ｓに当接し、それにより、その角度以上の開扉が阻止される。
【００１４】
図５は、図４における円Ｘで示す部分の拡大図であり、アーム６０の先端部６０ｓは断面で表されている。アーム６０の断面は略楕円状とされている。アーム係止具３０は一体的に設けられた係止突起４０を有し、係止突起４０はアーム係止具３０から延出する軸部４０ｂと、軸部４０ｂの先端に図５の紙面の表と裏を結ぶ方向（図３の上下方向）に膨出するように形成された頭部４０ａとを有している。頭部４０ａはアーム６０の導入口７０の開口よりも小さく、通常位置にあるアーム６０を扉２０の内面２０ａ上でアーム係止具３０側に所定角度回動させると、頭部４０ａはアーム６０の導入口７０を貫通する。また、頭部４０ａは案内溝８０の幅よりも大きく、扉２０が開扉されてアーム係止具３０の軸部４０ｂが案内溝８０内に入った後は、アーム６０はアーム係止具３０の頭部４０ａに係止されつつ相対移動し、アーム６０の扉２０上での倒動作は不能になる。
【００１５】
係止突起４０は、ドアガードがガード位置にある状態において、軸部４０ｂのアーム係止具３０側から頭部４０ａの先端にかけて連続して同一角度で傾斜する傾斜面４０ｃを備えている。該傾斜面４０ｃはアーム６の先端部６０ｓ側に向くとともに、傾斜面４０ｃの頭部４０ａ側は傾斜面４０ｃのアーム係止具３０側よりアーム６０の基端側に傾いている。尚、アーム係止具３０の基台面３０Ａと傾斜面４０ｃとが成す角度は３０〜６０度であることが好ましい。
【００１６】
尚、アーム６０の断面は図６に示すようにＬ字状であってもよい。
【００１７】
次に、第一の実施形態のドアガードの機能について説明する。ドアガードの操作者がそのアーム６０を手で持って通常位置からガード位置へドアガードをセットしている時、誤ってアーム６０の先端６０ｓ近傍の案内溝８０に指を入れて操作していると、たまたま同じタイミングで来訪者が扉２０を開けようと扉２０の外面のノブを開扉方向へ引っ張った場合、上記で述べたように指を詰める可能性があるが、第一の実施形態のドアガードにおいては、係止突起４０の傾斜面４０ｃが開扉動作にともなって指に接近することにより、案内溝８０に入れた指先が傾斜面４０ｃに案内されて案内溝８０の外へ移動させられるので、指を詰めることがなく安全である。これは、傾斜面４０ｃ上において指先に外側向きの力が発生するからである。また、傾斜面４０ｃの接近によりアーム６０が傾斜面４０ｃ上を滑りながら頭部４０ａ側へ回動する作用も加わって、指が案内溝８０から外へより強く押し出されることにもよる。
【００１８】
（第二の実施形態）
図７及び図８に示すのは第二の実施形態のドアガードである。尚、これ以降に説明する実施形態において第一の実施形態で説明した部材と同一の部材については同一符号を付して説明を省略する場合がある。
【００１９】
アーム６１は略Ｕ字状に形成されることによりその上下方向略中央には長手方向に沿って案内溝８０が延設され、その折曲側が先端側（先端部６１ｓ）になり開口側が基端側となるように扉２０の内面２０ａにベース５０を介して軸支されている。図７に示すように、アーム係止具３１は扉枠１０に取り付けられており、図７の紙面の表と裏を結ぶ方向（図３の上下方向）に膨出するように頭部４１ａが膨出するとともに平面４１ｃを備えた係止突起４１を有している。頭部４１ａはアーム６０の導入口７０の開口よりも小さく、通常位置にあるアーム６１を扉２０の内面２０ａ上でアーム係止具３１側に所定角度回動させると、頭部４１ａはアーム６１の導入口７０を貫通する。頭部４１ａは案内溝８０の幅よりも大きく、扉２０が開扉されてアーム係止具３１の軸部４１ｂが案内溝８０内に入った後は、アーム６１はアーム係止具３１の頭部４１ａに係止されつつ相対移動し、アーム６１の扉２０上での倒動作は不能になる。平面４１ｃは、軸部４１ｂのアーム係止具３１側から頭部４１ａの先端にかけて設けられたものであり、係止突起４１の軸心と略平行で、ドアガードがガード位置にある状態においてアーム６１の先端部６１ｓ側に向けて形成されている。
【００２０】
アーム６１の先端部６１ｓには傾斜面６１Ａが形成されている。該傾斜面６１Ａは、ドアガードがガード位置にある状態においてアーム係止具３１側から頭部４１ａに向けてアーム６０の先端６０ｓの肉厚が薄くなるよう先端６０ｓの案内溝８０側に形成された面である。尚、アームの断面は先端部６１ｓを除いて略楕円状とされている。尚、アーム係止具３１の基台面３１Ａと傾斜面６１Ａが成す角度は３０〜６０度であることが好ましい。
【００２１】
図８に示すように、アームの断面は先端部６１を除いてＬ字状であってもよい。
【００２２】
次に、第二の実施形態のドアガードの機能について説明する。ドアガードの操作者がそのアーム６１を手で持って通常位置からガード位置へドアガードをセットしている時、誤ってアーム６１の先端６１ｓ近傍の案内溝８０に指を入れて操作していると、たまたま同じタイミングで来訪者が扉２０を開けようと扉２０の外面のノブを開扉方向へ引っ張った場合、上記で述べたように指を詰める可能性があるが、第二実施形態のドアガードにおいては、係止突起４１の平面４１ｃとアーム６１の傾斜面６１Ａが開扉動作にともなって接近することにより略Ｖ字状の壁面が形成され、案内溝８０に入れた指先が傾斜面６１Ａに案内されて案内溝８０の外へ移動させられるので、指を詰めることがなく安全である。これは、傾斜面６１Ａ上において指先に外側向きの力が発生するからである。
【００２３】
（第三の実施形態）
図９及び図１０に示すのは第三の実施形態のドアガードである。図９に示すように、アーム係止具３０は一体的に設けられた係止突起４０を有し、係止突起４０はアーム係止具３０から延出する軸部４０ｂと、軸部４０ｂの先端に図９の紙面の表と裏を結ぶ方向（図３の上下方向）に膨出するように形成された頭部４０ａとを有している。また、係止突起４０は、ドアガードがガード位置にある状態において、軸部４０ｂのアーム係止具３０側から頭部４０ａの先端にかけて連続して同一角度で傾斜する傾斜面４０ｃを備えている。該傾斜面４０ｃはアーム６の先端部６０ｓ側に向くとともに、傾斜面４０ｃの頭部４０ａ側は傾斜面４０ｃのアーム係止具３０側よりアーム６０の基端側に傾いている。
【００２４】
アーム６１の先端部６１ｓには傾斜面６１Ａが形成されている。該傾斜面６１Ａは、ドアガードがガード位置にある状態においてアーム係止具３１側から頭部４０ａに向けてアーム６１の先端６１ｓの肉厚が薄くなるよう先端６１ｓの案内溝８０側に形成された面である。尚、アームの断面は先端部６１ｓを除いて略楕円状とされている。尚、アーム係止具３０の基台面３０Ａと傾斜面４０ｃが成す角度は３０〜６０度であることが好ましく、アーム係止具３０の基台面３０Ａと傾斜面６１Ａが成す角度は３０〜６０度であることが好ましい。
【００２５】
図１０に示すように、アームの断面は先端部６１ｓを除いてＬ字状であってもよい。
【００２６】
次に、第三の実施形態のドアガードの機能について説明する。ドアガードの操作者がそのアーム６１を手で持って通常位置からガード位置へドアガードをセットしている時、誤ってアーム６１の先端６１ｓ近傍の案内溝８０に指を入れて操作していると、たまたま同じタイミングで来訪者が扉２０を開けようと扉２０の外面のノブを開扉方向へ引っ張った場合、上記で述べたように指を詰める可能性があるが、第三の実施形態のドアガードにおいては、係止突起４０の傾斜面４０ｃとアーム６０の傾斜面６１Ａが開扉動作にともなって接近することによりＶ字状の壁面が形成され、その壁面に案内されて案内溝８０に入れた指先が案内溝８０の外へ移動させられるので、指を詰めることがなく安全である。これは、傾斜面４０ｃおよび傾斜面６１Ａ上において指先に外側向きの力が発生するからである。また、傾斜面４０ｃと傾斜面６１Ａの接近によりアーム６１が傾斜面４０ｃ上を滑りながら頭部４０ａ側へ回動する作用も加わって、指が案内溝８０から外へより強く押し出されることにもよる。
【００２７】
本発明によるドアガードは、上述した実施形態に限定されず、特許請求の範囲に記載した範囲で種々の変形や改良が可能である。例えば、上記の説明は外開き扉に本発明に係るドアガードを適用した場合であったが、内開き扉に本発明に係るドアガードを適用することも可能である。この場合はアーム６０、６１を扉枠１０に、アーム係止具３０、３１を扉２０に固定することになる。
【符号の説明】
【００２８】
１０  扉枠、２０  扉、３０  アーム係止具、３１  アーム係止具、４０  係止突起、４０ａ  頭部、４０ｂ  軸部、８０  案内溝、４０ｃ  傾斜面、４１  係止突起、４１ａ  頭部、４１ｂ  軸部、４１ｃ  平面、６０  アーム、６１  アーム、６１Ａ  傾斜面
【図１】
2011208437.tif 000003
【図２】
2011208437.tif 000004
【図３】
2011208437.tif 000005
【図４】
2011208437.tif 000006
【図５】
2011208437.tif 000007
【図６】
2011208437.tif 000008
【図７】
2011208437.tif 000009
【図８】
2011208437.tif 000010
【図９】
2011208437.tif 000011
【図１０】
2011208437.tif 000012
【図１１】
2011208437.tif 000013
【図１２】
2011208437.tif 000014
【図１３】
2011208437.tif 000015